【手続補正書】
【提出日】平成26年3月26日(2014.3.26)
【手続補正１】
【補正対象書類名】明細書
【補正対象項目名】０００８
【補正方法】変更
【補正の内容】
【０００８】
前記課題を解決するために、請求項１に記載のネイルプリント装置は、
印刷しようとする爪部に対応する指である印刷指を載置する印刷指載置手段と、
この印刷指載置手段に載置されている印刷指の爪部に印刷を施す印刷ヘッドを有する印刷手段と、
前記印刷指載置手段に設けられ、前記印刷指載置手段に前記印刷指が載置された際に、指検出信号を出力し、前記印刷指が前記印刷指載置手段から離れた際に、指非検出信号を出力する指載置検出手段と、
この指載置検出手段から前記指検出信号が出力さたとき、前記指検出信号の信号出力時又はこの信号出力時から所定の時間経過後に前記印刷手段により前記爪部に対して印刷を施す印刷動作を開始させ、前記印刷動作中に、前記指載置検出手段から前記指非検出信号が出力されたとき、前記印刷動作を停止させるように、前記印刷手段を制御する印刷制御手段と、
を備えていることを特徴としている。
【手続補正２】
【補正対象書類名】明細書
【補正対象項目名】０００９
【補正方法】変更
【補正の内容】
【０００９】
本発明によれば、印刷指を載置する印刷指載置手段に設けられた指載置検出手段から印刷指載置手段に印刷指が載置されていることを示す指検出信号が出力されると、指検出信号の信号出力時又はこの信号出力時から所定の時間経過後に印刷指の爪部に対して印刷手段による印刷動作を開始させることができ、印刷動作中に指載置検出手段から、印刷指載置手段から印刷指が離れたことを示す指非検出信号が出力されると、印刷手段による爪部への印刷動作が停止させることができる。
このため、拘束具等により印刷指を固定しなくても、印刷指が浮き上がりを生じる等印刷に不適な状態のままで印刷が行われることがなく、簡易な手法で爪部への精緻な印刷を行うことができる。
【手続補正３】
【補正対象書類名】特許請求の範囲
【補正対象項目名】全文
【補正方法】変更
【補正の内容】
【特許請求の範囲】
【請求項１】
印刷しようとする爪部に対応する指である印刷指を載置する印刷指載置手段と、
この印刷指載置手段に載置されている印刷指の爪部に印刷を施す印刷ヘッドを有する印刷手段と、
前記印刷指載置手段に設けられ、前記印刷指載置手段に前記印刷指が載置された際に、指検出信号を出力し、前記印刷指が前記印刷指載置手段から離れた際に、指非検出信号を出力する指載置検出手段と、
この指載置検出手段から前記指検出信号が出力されたとき、前記指検出信号の信号出力時又はこの信号出力時から所定の時間経過後に前記印刷手段により前記爪部に対して印刷を施す印刷動作を開始させ、前記印刷動作中に、前記指載置検出手段から前記指非検出信号が出力されたとき、前記印刷動作を停止させるように、前記印刷手段を制御する印刷制御手段と、
を備えていることを特徴とするネイルプリント装置。
【請求項２】
前記指載置検出手段は、前記印刷指載置手段に載置された一の印刷指に対して複数設けられており、
前記印刷制御手段は、前記印刷指載置手段に設けられている全ての前記指載置検出手段から前記指検出信号が出力されると、前記信号出力時又はこの信号出力時から所定の時間経過後に前記印刷動作を開始させ、印刷動作中に、これらの指載置検出手段のうちの少なくとも１つから前記指非検出信号が出力されると、前記印刷動作を停止させるように、前記印刷手段を制御することを特徴とする請求項１に記載のネイルプリント装置。
【請求項３】
前記指載置検出手段は、前記印刷指載置手段に前記印刷指が載置されると前記印刷指によって押圧されることによって前記指検出信号を出力し、前記印刷指が当該指載置検出手段から離れることにより前記指非検出信号を出力するプッシュスイッチであることを特徴とする請求項１又は請求項２に記載のネイルプリント装置。
【請求項４】
前記指載置検出手段は、前記印刷指載置手段に前記印刷指が載置されると前記印刷指が接触することによって前記指検出信号を出力し、前記印刷指が当該指載置検出手段から離れることにより前記指非検出信号を出力する接触センサであることを特徴とする請求項１又は請求項２に記載のネイルプリント装置。
【請求項５】
前記印刷指載置手段に載置されている前記印刷指の位置を検出する印刷指検出手段をさらに備え、
前記指載置検出手段から前記指非検出信号が出力されると、前記印刷制御手段は、前記印刷指検出手段によって検出された前記印刷指の位置に応じて、前記印刷指の挿入方向の奥側であって前記印刷指から離れる方向に前記印刷ヘッドを移動させることを特徴とする請求項１から請求項４のいずれか一項に記載のネイルプリント装置。
【請求項６】
前記印刷指載置手段に複数の前記印刷指を同時に載置して、複数の爪部に対して印刷が可能となっており、
前記印刷指載置手段に載置されている前記印刷指の数と、現に印刷中の印刷指の種類及び／又は位置を記憶する印刷指記憶手段をさらに備え、
前記指載置検出手段から前記指非検出信号が出力されると、前記印刷制御手段は、前記印刷指記憶手段に記憶されている前記印刷指載置手段に載置されている前記印刷指の数と、現に印刷中の印刷指の種類及び／又は位置に応じて、前記印刷指の挿入方向の奥側であって前記印刷指から離れる方向に前記印刷ヘッドを移動させることを特徴とする請求項１から請求項５のいずれか一項に記載のネイルプリント装置。
【請求項７】
前記指載置検出手段から前記指検出信号が出力された後、前記爪部に対する前記印刷動作の開始前に、前記指載置検出手段から前記指非検出信号が出力された場合には、前記指載置検出手段から再度、前記指検出信号が出力された場合に、前記印刷制御手段は、印刷初期位置から爪部の印刷を開始させるように構成され、
前記爪部に印刷された既印刷画像を読み取る既印刷画像取得手段をさらに備え、
前記爪部に対する印刷動作開始後に前記指載置検出手段から前記指非検出信号が出力された場合には、前記指載置検出手段から再度、前記指検出信号が出力された場合に、前記印刷制御手段は、前記既印刷画像取得手段によって読み取られた既印刷画像に基づいて再印刷位置を判断し、前記爪部への前記印刷動作の停止時の印刷データに基づいて当該再印刷位置から再印刷を開始させることを特徴とする請求項１から請求項６のいずれか一項に記載のネイルプリント装置。
【請求項８】
前記指載置検出手段からの前記指検出信号／前記指非検出信号は、前記印刷ヘッドを駆動させるヘッド駆動回路及び／又は前記印刷ヘッドを駆動させるヘッド移動回路に出力され、
前記指載置検出手段から前記指非検出信号が出力されると、前記印刷ヘッドの駆動及び／又は前記印刷ヘッドの移動が停止されることを特徴とする請求項１から請求項４のいずれか一項に記載のネイルプリント装置。
【請求項９】
前記印刷制御手段は、非印刷時において、前記指載置検出手段からの前記指非検出信号に拘らず、前記印刷動作以外の前記ヘッド駆動回路による前記印刷ヘッドの駆動及び／又は前記ヘッド移動回路による前記印刷ヘッドの駆動を有効とする非印刷時動作信号を前記ヘッド駆動回路及び／又は前記ヘッド移動回路に出力することを特徴とする請求項８に記載のネイルプリント装置。
【請求項１０】
印刷しようとする爪部に対応する指である印刷指を載置する印刷指載置手段と、この印刷指載置手段に載置されている印刷指の爪部に印刷を施す印刷ヘッドを有する印刷手段とを備えているネイルプリント装置に用いられる印刷制御方法において、
前記印刷指載置手段に前記印刷指が載置された際に、指検出信号を出力し、前記印刷指が前記印刷指載置手段から離れた際に、指非検出信号を出力するように制御する指載置検出ステップと、
この指載置検出ステップにて前記指検出信号が出力されると、前記指検出信号の信号出力時又はこの信号出力時から所定の時間経過後に前記印刷手段により前記爪部に対して印刷を施す印刷動作を開始させ、前記印刷動作中に、前記指載置検出ステップにて前記指非検出信号が出力されると、前記印刷動作を停止させるように、前記印刷手段を制御する印刷制御ステップと、
を備えていることを特徴とする印刷制御方法。